(57)【要約】【課題】被検体の体内画像に関するコメントを容易に入力することができること。【解決手段】本発明にかかる画像表示装置１は、被検体の体内画像、症例を示す１以上の参考画像、および症例を示す１以上の文字データを表示する表示部４と、画像表示装置１の各構成部を制御する制御部７とを備える。制御部７は、表示部４に表示中の体内画像に対応する症例の参考画像を含む前記１以上の参考画像と前記１以上の文字データとを症例別に対応付けて表示するように表示部４を制御する。【選択図】        図１
2010167045.tif 000002
【特許請求の範囲】
【請求項１】
被検体の体内画像、症例を示す１以上の参考画像、および症例を示す１以上の文字データを表示する表示手段と、
前記体内画像に対応する症例の参考画像を含む前記１以上の参考画像と前記１以上の文字データとを症例別に対応付けて表示するように前記表示手段を制御する制御手段と、
を備えたことを特徴とする画像表示装置。
【請求項２】
前記表示手段に表示された前記１以上の参考画像のうちの参考画像または該参考画像と対応付けられた文字データのいずれかを選択する選択情報を入力する入力手段を備え、
前記制御手段は、前記選択情報に対応する前記文字データを入力データ候補として表示するように前記表示手段を制御することを特徴とする請求項１に記載の画像表示装置。
【請求項３】
前記表示手段は、症例の進行レベルを示す各レベル別の参考画像を表示し、
前記制御手段は、前記選択情報によって選択される参考画像が示す症例の進行レベルを示す前記各レベル別の参考画像を表示するように前記表示手段を制御することを特徴とする請求項２に記載の画像表示装置。
【請求項４】
症例を示す参考画像群と該参考画像群内の各参考画像の症例を示す文字データ群とを記憶する記憶手段を備え、
前記制御手段は、前記入力手段によって入力される前記体内画像の一部分の指定情報によって指定される前記体内画像の一部分と前記参考画像群内の各参考画像との各類似度を算出し、この算出した前記各参考画像と前記体内画像の一部分との各類似度を比較することによって、前記参考画像群の中から前記１以上の参考画像を絞り込むとともに前記文字データ群の中から前記１以上の文字データを絞り込むことを特徴とする請求項２に記載の画像表示装置。
【請求項５】
症例を示す参考画像群と該参考画像群内の各参考画像の症例を示す文字データ群とを記憶する記憶手段を備え、
前記入力手段は、前記体内画像の症例を指定する指定情報を入力し、
前記制御手段は、前記体内画像の画素データと前記指定情報とをもとに、前記参考画像群の中から前記１以上の参考画像を絞り込むとともに前記文字データ群の中から前記１以上の文字データを絞り込むことを特徴とする請求項２に記載の画像表示装置。
【請求項６】
前記制御手段は、前記参考画像群内の各参考画像と前記体内画像との類似度を算出し、この算出した類似度順に前記文字データ群を配列して表示するように前記表示手段を制御し、
前記入力手段は、前記類似度順に配列して表示された前記文字データ群の中から選択される症例の前記指定情報を入力することを特徴とする請求項５に記載の画像表示装置。
【請求項７】
前記制御手段は、前記体内画像に対する前記１以上の参考画像の類似度を算出し、この算出した類似度順に前記１以上の参考画像を配列して表示するように前記表示手段を制御することを特徴とする請求項１〜６のいずれか一つに記載の画像表示装置。
【請求項８】
前記制御手段は、前記体内画像の撮像部位における発症頻度順に前記１以上の参考画像を配列して表示するように前記表示手段を制御することを特徴とする請求項１〜６のいずれか一つに記載の画像表示装置。
【発明の詳細な説明】
【技術分野】
【０００１】
本発明は、被検体の臓器内部の画像を表示する画像表示装置に関し、特に、表示した画像に関するコメントの入力を補助する入力補助機能を備え、この入力補助機能を用いてコメントを入力可能な画像表示装置に関するものである。
【背景技術】
【０００２】
従来から、患者等の被検体の臓器内部の画像（以下、体内画像という場合がある）を表示する画像表示装置が登場している。画像表示装置は、カプセル型内視鏡等の体内撮像装置によって撮像された被検体の体内画像群を取得し、医師または看護師等のユーザによる操作に対応して、この取得した体内画像群をディスプレイ上に順次表示する。
【０００３】
また、画像表示装置は、文字データ等を入力可能な入力部を備え、この入力部の操作に対応してディスプレイ上の体内画像に関するコメント等を入力することができる。さらに、単語または文字列の予測変換または辞書等のコメント入力を補助する入力補助機能を備えた画像表示装置がある。かかる入力補助機能を備えた画像表示装置は、入力したい単語または文字列の最初の一部分を入力した場合、この入力した一部分を最初に含む単語または文字列の候補をディスプレイ上に表示し、この表示した候補の中から選択された単語または文字列を入力単語または入力文字列にする。
【０００４】
一方、ユーザによって選択された関心のある画像をモニタに表示し、この表示した関心のある画像に関連する単語を入力することによって、この関心のある画像に合致する画像またはテキストを検索し、この検索結果と関心のある画像とをモニタに表示する画像表示装置もある（特許文献１参照）。
【０００５】
【特許文献１】特開２００７−１０５４５８号公報
【発明の開示】
【発明が解決しようとする課題】
【０００６】
しかしながら、上述した従来の画像表示装置では、被検体の体内画像に関するコメントを入力する場合、多数の症例画像を掲載した書籍等を用いて表示中の体内画像に合致する被検体の症状を判断し、この判断した症状に対応して文字データを入力しなければならず、このため、被検体の体内画像に関するコメントの入力に多大な時間および労力を要するという問題点があった。
【０００７】
本発明は、上記事情に鑑みてなされたものであって、被検体の体内画像に関するコメントを容易に入力することができる画像表示装置を提供することを目的とする。
【課題を解決するための手段】
【０００８】
本願発明者等は、被検体の体内画像と該体内画像に対応する症例の参考画像および該症例を示す文字データの少なくとも一方とを対応付けて表示することにより、上記課題を解決できることを見出した。すなわち、本願発明は、被検体の体内画像、症例を示す１以上の参考画像、および症例を示す１以上の文字データを表示する表示手段と、前記体内画像に対応する症例の参考画像を含む前記１以上の参考画像と前記１以上の文字データとを症例別に対応付けて表示するように前記表示手段を制御する制御手段と、を備えたことを特徴とする画像表示装置により、上記課題を解決する。
【発明の効果】
【０００９】
本発明によれば、症例の参考画像と被検体の体内画像とを見比べつつ、この体内画像に関する文字データを入力することができ、この結果、被検体の体内画像に関するコメントを容易に入力することができる画像表示装置を実現できるという効果を奏する。
【発明を実施するための最良の形態】
【００１０】
以下、図面を参照して、本発明にかかる画像表示装置の好適な実施の形態を詳細に説明する。なお、以下では、本発明にかかる画像表示装置の一例として、被検体の臓器内部に導入されたカプセル型内視鏡が撮像した体内画像群を表示する画像表示装置を例示するが、この実施の形態によって本発明が限定されるものではない。
【００１１】
（実施の形態１）
図１は、本発明の実施の形態１にかかる画像表示装置の一構成例を模式的に示すブロック図である。図１に示すように、この実施の形態１にかかる画像表示装置１は、画像データ等の各種データを入出力するための入出力インターフェース２と、各種情報を入力する入力部３と、被検体の体内画像等の各種データを表示する表示部４と、被検体に関するレポート等を出力する出力部５と、各種データを記憶する記憶部６と、画像表示装置１の各構成部を制御する制御部７とを備える。
【００１２】
入出力インターフェース２は、カード型メモリまたはディスクメモリ等の可搬な記憶媒体を着脱可能に挿着でき、この挿着された記憶媒体に対してデータの読取処理または書込処理を行う。具体的には、入出力インターフェース２は、制御部７によって読み取り指示された記憶媒体の保存データを読み取り、読み取った保存データを制御部７に送信する。なお、かかる記憶媒体の保存データとして、例えば、挿入型の内視鏡またはカプセル型内視鏡等の体内撮像装置によって撮像された被検体の体内画像群、被検体の体内画像に合致する被検体の症状を判断する際に参考になる症例画像等の症例を示す参考画像、症例を示す文字データ等が挙げられる。なお、かかる参考画像によって示される症例として、例えば、潰瘍、出血、腫瘍、狭窄、クローン病、ポリープ、びらん等が挙げられる。一方、入出力インターフェース２は、制御部７によって書き込み指示された各種データを記憶媒体に書き込む。
【００１３】
入力部３は、キーボード、マウスおよびタッチパネル等の入力デバイスを用いて実現され、医師または看護師等のユーザによる入力操作に対応して制御部７に各種情報を入力する。具体的には、入力部３は、表示部４に表示された被検体の各体内画像の中から注目の体内画像を選択する画像選択情報、表示部４に表示された１以上の参考画像のうちの参考画像またはこの参考画像と対応付けられた文字データのいずれかを選択する参考情報選択情報、制御部７に対して指示する指示情報、症例を示す文字データ等を制御部７に入力する。
【００１４】
表示部４は、ＣＲＴディスプレイまたは液晶ディスプレイ等の表示デバイスを用いて実現され、制御部７によって表示指示された画像データおよび文字データ等の各種データ、各種データの表示または入力に有用なＧＵＩ（Graphical  User  Interface）等を表示する。具体的には、表示部４は、制御部７によって表示指示された被検体の体内画像群を静止画表示または動画表示する。また、表示部４は、この表示した体内画像群の中から選択された体内画像、症例を示す１以上の参考画像、および症例を示す１以上の文字データを表示する。この場合、表示部４は、かかる１以上の参考画像と１以上の文字データとを症例別に対応付けた態様で表示する。また、表示部４は、かかる選択された体内画像と１以上の参考画像とを比較可能な態様で表示する。
【００１５】
出力部５は、被検体に関するコメント等を掲載したレポートを出力するためのものである。具体的には、出力部５は、プリンタ等を用いて実現され、制御部７によって出力指示されたレポートデータを紙等の媒体に印刷して出力する。
【００１６】
記憶部６は、ＲＡＭ、ＥＥＰＲＯＭ、またはハードディスク等の大容量の記憶媒体を用いて実現され、制御部７によって書き込み指示された各種データ等を保存し、制御部７によって読み出し指示された保存データを制御部７に送信する。具体的には、記憶部６は、上述した参考画像を複数含む参考画像群６ａと、症例を示す複数の文字データを含む文字データ群６ｂと、被検体の体内画像群６ｃとを記憶する。ここで、参考画像群６ａ内の各参考画像は、症例を示す画像データであり、入出力インターフェース２によって記憶媒体から取り込まれる。文字データ群６ｂ内の各文字データは、かかる参考画像群６ａ内の各参考画像の症例を示す文字データであり、入出力インターフェース２によって記憶媒体から取り込まれ、または入力部３によって入力される。体内画像群６ｃ内の各体内画像は、体内撮像装置によって撮像された画像データであり、入出力インターフェース２によって記憶媒体から取り込まれる。なお、かかる参考画像群６ａ内の各参考画像は、体内撮像装置によって撮像された画像データであってもよいし、症例集のデータベース等からダウンロードした画像データであってもよい。また、かかる記憶部６内の参考画像群６ａおよび文字データ群６ｂは、予め入力されたデータであってもよい。
【００１７】
制御部７は、処理プログラムを実行するＣＰＵと、処理プログラム等が予め記録されたＲＯＭと、各処理の演算パラメータ等を一時的に記憶するＲＡＭとを用いて実現される。制御部７は、画像表示装置１の各構成部である入出力インターフェース２、入力部３、表示部４、出力部５、および記憶部６を制御し、且つ、かかる各構成部間における信号の入出力を制御する。
【００１８】
また、制御部７は、体内画像群６ｃの中から選択された体内画像を抽出する画像抽出部７ａと、症例を示す参考画像および文字データの表示配列を設定する配列処理部７ｂと、症例を示す文字データの入力処理を行う文字データ処理部７ｃと、被検体に関連するレポートデータを作成するレポート作成部７ｄとを備える。
【００１９】
画像抽出部７ａは、表示部４に静止画表示または動画表示された各体内画像の中からユーザ注目の体内画像を抽出する。この場合、画像抽出部７ａは、入力部３によって入力された体内画像の画像選択情報を取得し、この取得した画像選択情報によって選択される体内画像、すなわちユーザ注目の体内画像を体内画像群６ｃの中から抽出する。制御部７は、かかる画像抽出部７ａによって抽出されたユーザ注目の体内画像を症例の参考画像および文字データとともに表示するように表示部４を制御する。
【００２０】
配列処理部７ｂは、表示部４に一覧表示される参考画像群６ａおよび文字データ６ｂの表示配列を設定する。具体的には、配列処理部７ｂは、画像抽出部７ａによって抽出されたユーザ注目の体内画像の画素データと参考画像群６ａ内の各参考画像の画素データとをもとに、このユーザ注目の体内画像に対する各参考画像の類似度を算出する。なお、かかる画素データとして、例えば、画像毎の色データ、輝度データ、または平均色データ等が挙げられる。配列処理部７ｂは、かかる各参考画像の類似度順に参考画像群６ａの表示配列を設定する。この場合、配列処理部７ｂは、このユーザ注目の体内画像に対する類似度の大きい参考画像から順に表示部４に表示可能な表示配列を設定する。一方、配列処理部７ｂは、かかる参考画像群６ａの表示配列に対応して文字データ群６ｂの表示配列を設定する。具体的には、配列処理部７ｂは、かかる参考画像群６ａの各参考画像と文字データ群６ｂ内の各文字データとが症例別に並ぶように文字データ群６ｂの表示配列を設定する。制御部７は、かかる配列処理部７ｂによって設定された表示配列に参考画像群６ａおよび文字データ群６ｂを配列して表示するように表示部４を制御する。
【００２１】
文字データ処理部７ｃは、表示部４に一覧表示された症例の文字データの中から入力データを決定する入力処理を行う。具体的には、文字データ処理部７ｃは、入力部３によって入力された参考画像または文字データの参考情報選択情報を取得し、この取得した参考情報選択情報に対応する症例の文字データを文字データ群６ｂの中から抽出する。この場合、文字データ処理部７ｃは、この参考情報選択情報によって選択される文字データまたはこの参考情報選択情報によって選択される参考画像と対応付けられた文字データを抽出する。文字データ処理部７ｃは、このように抽出した文字データを入力データ候補として保持する。制御部７は、かかる文字データ処理部７ｃによって抽出された文字データを入力データ候補として表示するように表示部４を制御する。一方、文字データ処理部７ｃは、入力部３によって入力された文字データをもとに、かかる入力データ候補である文字データを編集する文字データ編集機能を有する。その後、文字データ処理部７ｃは、入力部３によって入力された指示情報に基づいて、この入力データ候補である文字データを入力データとして決定する。
【００２２】
レポート作成部７ｄは、被検体に関連するレポートデータを作成する。具体的には、レポート作成部７ｄは、画像抽出部７ａが抽出したユーザ注目の体内画像のデータ、入力部３が入力した参考情報選択情報によって選択される参考画像のデータ、および文字データ処理部７ｃが入力データとして決定した文字データ等を用いて、かかる各種データを掲載した被検体のレポートデータを作成する。制御部７は、かかるレポート作成部７ｄによって作成されたレポートデータを記憶部６に保存する。
【００２３】
つぎに、本発明の実施の形態１にかかる画像表示装置１の動作について説明する。図２は、選択された体内画像を表示するとともに症例を示す参考画像および文字データを一覧表示した状態を例示する模式図である。図３は、選択された体内画像に関するコメントを入力する状態を例示する模式図である。以下、上述した図１および図２，３を参照しつつ、表示部４に表示された各体内画像の中からユーザ注目の体内画像が選択されてから、このユーザ注目の体内画像に関するコメントを入力するまでの画像表示装置１の動作を説明する。
【００２４】
画像表示装置１は、ユーザによる体内画像の表示操作に対応して被検体の体内画像群６ｃの各体内画像を表示し、この表示した各体内画像の中からユーザによって体内画像が選択された場合、このユーザ注目の体内画像を表示するとともに、症例を示す参考画像および文字データを一覧表示する。
【００２５】
かかる画像表示装置１において、入力部３は、表示部４に表示された各体内画像の中からユーザによって選択された体内画像Ｐの画像選択情報を制御部７に入力する。制御部７は、この入力された画像選択情報によって選択されるユーザ注目の体内画像Ｐを表示部４に表示させる。この場合、画像抽出部７ａは、記憶部６内の体内画像群６ｃの中からユーザ注目の体内画像Ｐを抽出する。制御部７は、かかる画像抽出部７ａによって抽出された体内画像Ｐを表示するように表示部４を制御する。
【００２６】
一方、制御部７は、このようにユーザ注目の体内画像Ｐが選択された場合、各種症例を示す参考画像群６ａおよび文字データ群６ｂを表示部４に一覧表示させる。この場合、配列処理部７ｂは、この体内画像Ｐの画素データと参考画像群６ａ内の各参考画像の画素データとをもとに、この体内画像Ｐに対する各参考画像の類似度を算出する。配列処理部７ｂは、この体内画像Ｐに対する類似度の大きい参考画像から順に表示可能な参考画像群６ａの表示配列を設定する。また、配列処理部７ｂは、かかる参考画像群６ａの各参考画像と文字データ群６ｂ内の各文字データとが症例別に並ぶように文字データ群６ｂの表示配列を設定する。制御部７は、かかる配列処理部７ｂによって設定された表示配列に参考画像群６ａおよび文字データ群６ｂを配列して一覧表示するように表示部４を制御する。
【００２７】
表示部４は、かかる制御部７の制御に基づいて、ユーザ注目の体内画像Ｐを表示するとともに、症例を示す参考画像群６ａおよび文字データ群６ｂを一覧表示する。具体的には、表示部４は、制御部７の制御に基づいて図２に示すウィンドウ１０を表示する。このウィンドウ１０には、体内画像表示領域１１および参考データ表示領域１２が形成される。表示部４は、この体内画像表示領域１１にユーザ注目の体内画像Ｐを表示するとともに、この参考データ表示領域１２に参考画像群６ａおよび文字データ群６ｂを一覧表示する。なお、このウィンドウ１０には、かかる体内画像表示領域１１および参考データ表示領域１２の他に、この体内画像Ｐに関するコメントを入力するためのコメント入力領域１３と、コメントの入力文字データを決定するための決定アイコン１４とが形成される。
【００２８】
ここで、かかる参考画像群６ａ内の各参考画像は、体内画像表示領域１１内の体内画像Ｐに対する類似度の大きい参考画像を先頭にして順に配列されている。また、かかる文字データ群６ｂ内の各文字データは、この参考画像群６ａ内の各参考画像と症例別に対応付けられた態様で配列される。例えば、この体内画像Ｐに潰瘍らしき部位が描画されている場合、参考データ表示領域１２には、この体内画像Ｐに類似する症例「潰瘍」、「出血」、「腫瘍」を示す各参考画像および各文字データが先に表示される。なお、図２においては参考画像群６ａおよび文字データ群６ｂの一部が参考データ表示領域１２内に一覧表示されているが、かかる参考画像群６ａ内の全参考画像および文字データ群６ｂ内の全文字データは、参考データ表示領域１２のスクロールバー１２ａを操作することによって表示可能である。
【００２９】
このようにユーザ注目の体内画像Ｐを表示するとともに参考画像群６ａおよび文字データ群６ｂを一覧表示した画像表示装置１において、ユーザは、体内画像表示領域１１内の体内画像Ｐと参考データ表示領域１２内の参考画像群６ａとを見比べ、この体内画像Ｐに類似する症例の参考画像を参考画像群６ａの中から探し出す。この場合、ユーザは、入力部３を操作して、この探し出した参考画像を選択し、これによって、この参考画像の症例を示す文字データを入力する。
【００３０】
具体的には、この体内画像Ｐに対応する被検体の症状が潰瘍である場合、入力部３は、参考データ表示領域１２内の参考画像群６ａのうちの潰瘍の参考画像Ｒａの参考情報選択情報を制御部７に入力する。なお、かかる参考画像Ｒａの参考情報選択情報は、例えば図３の状態Ａ１に示すように、潰瘍の参考画像Ｒａにマウスカーソル１５を合わせた状態でのクリック操作等の入力部３の操作に対応して入力される。
【００３１】
制御部７は、この入力された参考情報選択情報に対応する文字データＴａを、入力データ候補として保持するとともに表示部４に表示させる。この場合、文字データ処理部７ｃは、この入力された参考情報選択情報によって選択される参考画像Ｒａと対応付けられた文字データ、すなわち参考画像Ｒａの症例「潰瘍」を示す文字データＴａを記憶部６内の文字データ群６ｂの中から抽出する。文字データ処理部７ｃは、このように抽出した文字データＴａを、この体内画像Ｐに関するコメントの入力データ候補として保持する。制御部７は、かかる文字データ処理部７ｃによって抽出された文字データＴａを入力データ候補として表示するように表示部４を制御する。かかる制御部７の制御に基づいて、表示部４は、図３の状態Ａ２に示すように、コメント入力領域１３に「潰瘍」の文字データＴａを入力データ候補として表示する。
【００３２】
ここで、かかる入力データ候補としての文字データＴａは、編集可能である。すなわち、この文字データＴａに対して追加または変更する文字データが入力部３によって入力された場合、文字データ処理部７ｃは、この入力された文字データをもとに、この入力データ候補である「潰瘍」の文字データＴａを「潰瘍あり」または「潰瘍の疑いあり」等の文字列または文章に編集する。一方、この文字データＴａの少なくとも一部を削除する指示情報が入力部によって入力された場合、文字データ処理部７ｃは、この入力された指示情報に基づいて文字データＴａの一部または全部を削除する。制御部７は、コメント入力領域１３内の文字データＴａを、かかる文字データ処理部７ｃによって編集された文字列または文章等の編集データに更新するように表示部４を制御する。
【００３３】
なお、文字データ処理部７ｃは、参考画像Ｒａの参考情報選択情報の代わりに文字データＴａの参考情報選択情報が入力された場合も、この入力された参考情報選択情報によって選択される文字データＴａを記憶部６内の文字データ群６ｂの中から抽出し、この抽出した文字データＴａを、この体内画像Ｐに関するコメントの入力データ候補として保持する。また、文字データ処理部７ｃは、参考画像または文字データの参考情報選択情報が入力部３によって追加入力された場合、その都度、この参考情報選択情報に対応する症例の文字データを入力データ候補として追加する。例えば、文字データ処理部７ｃは、「出血」を示す参考画像Ｒｂまたは文字データＴｂの参考情報選択情報が入力された場合、この参考情報選択情報に対応する「出血」の文字データＴｂを入力データ候補として追加し、「腫瘍」を示す参考画像Ｒｃまたは文字データＴｃの参考情報選択情報が入力された場合、この参考情報選択情報に対応する「腫瘍」の文字データＴｃを入力データ候補として追加する。表示部４は、かかる入力データ候補として追加された「出血」、「腫瘍」等の文字データをコメント入力領域１３に追加表示する。
【００３４】
このようにユーザ注目の体内画像Ｐに関するコメントの入力データ候補を表示部４のコメント入力領域１３に表示した画像表示装置１において、ユーザは、このコメント入力領域１３内の入力データ候補を視認し、この入力データ候補をコメントの入力データとする場合、入力部３を操作して決定アイコン１４をクリックする。この場合、入力部３は、入力データの決定を指示する指示情報を制御部７に入力する。文字データ処理部７ｃは、この入力された指示情報に基づいて、コメント入力領域１３内の入力データ候補である文字データ、例えば図３の状態Ａ２に示す「潰瘍」の文字データＴａを入力データとして決定し、保持する。これによって、このユーザ注目の体内画像Ｐに関するコメントのデータ入力が完了する。なお、かかるコメントのデータ入力は、マウスによってコメント入力領域１３内の入力データ候補をクリックする等の入力部３のクリック操作によって達成されてもよい。
【００３５】
なお、上述した文字データ処理部７ｃは、症例を示す単語形式の文字データを入力データ候補として保持していたが、これに限らず、単語形式の文字データを文章形式または文字列形式に自動変換し、この自動変換した文字データを入力データ候補として保持してもよい。例えば、文字データ処理部７ｃは、入力部３によって入力された参考情報選択情報に基づいて文字データ群６ｂの中から抽出した「潰瘍」の文字データＴａを「潰瘍あり」または「潰瘍の疑いあり」等の文章形式または文字列形式に自動変換してもよい。また、上述した文字データ群６ｂ内の各文字データは、「潰瘍」等の症例を示す単語形式のものに限らず、「潰瘍あり」または「潰瘍の疑いあり」等の症例を示す文章形式または文字列形式のものであってもよい。一方、文字データ処理部７ｃは、上述した参考データ表示領域１２内に一覧表示された文字データ、すなわち文字データ群６ｂ内の文字データに限らず、入力部３によって入力された文字データを入力データ候補として保持してもよい。
【００３６】
つぎに、上述したように入力された体内画像Ｐに関するコメントを掲載したレポートデータについて説明する。図４は、被検体に関連するレポートデータの一具体例を示す模式図である。画像表示装置１は、上述したレポート作成部７ｄの機能によって、図４に示すようにユーザ注目の体内画像Ｐおよび体内画像Ｐに関するコメント等を掲載したレポートデータ１６を作成する。
【００３７】
具体的には、レポート作成部７ｄは、被検体に関連するレポートデータ１６を作成するための各種データとして、例えば、画像抽出部７ａによって抽出されたユーザ注目の体内画像Ｐ、入力部３によって入力された参考情報選択情報に対応する参考画像Ｒａ、文字データ処理部７ｃによって入力データとして保持された文字データ、入力部３によって入力された文字データ等を取得する。レポート作成部７ｄは、かかる各種取得データをもとに、被検体に関するレポートデータ１６を作成する。
【００３８】
かかるレポート作成部７ｄによって作成されたレポートデータ１６には、図４に示すように、被検体の検査した医師名および施設名等の検査者データ１６ａ、患者ＩＤ、検査日、患者名、生年月日、性別等の被検体を特定する被検体データ１６ｂ、被検体を検査した際に観察した体内画像Ｐが掲載される。また、かかるレポートデータ１６内のコメント欄１６ｃには、この体内画像Ｐに関するコメント、例えば「潰瘍の疑いあり」が掲載される。ここで、このコメント欄１６ｃ内のコメントを構成する文字データは、上述した文字データ処理部７ｃが入力データとして保持した文字データである。
【００３９】
一方、かかるレポートデータ１６内の備考欄１６ｄには、この体内画像Ｐに関するコメントを入力する際に参考にしたデータ、例えば「潰瘍」を示す参考画像Ｒａおよび文字データＴａが掲載される。ここで、この備考欄１６ｄ内の参考画像Ｒａおよび文字データＴａは、体内画像Ｐに関するコメントを入力する際に入力部３によって入力された参考情報選択情報に対応するデータである。すなわち、この備考欄１６ｄ内に掲載されるデータは、この体内画像Ｐに対してコメント欄１６ｃ内のコメントを入力した際に参考にした参考画像等のデータ確認に有用である。なお、かかるレポートデータ１６は、例えば、表示部４によって表示され、その後、出力部５によって適宜プリントアウトされる。
【００４０】
以上、説明したように、本発明の実施の形態１では、ユーザによって選択された被検体の体内画像を表示するとともに、この体内画像に対応する症例の参考画像を含む複数の参考画像と症例を示す複数の文字データとを症例別に対応付けて一覧表示するように構成した。このため、一覧表示された複数の参考画像とユーザ注目の体内画像とを見比べつつ、このユーザ注目の体内画像に関するコメントを入力することができ、この結果、このユーザ注目の体内画像に合致する被検体の症状を判断し易く、この判断した症状に合った的確なコメントを容易に入力できる画像表示装置を実現することができる。
【００４１】
また、一覧表示した複数の参考画像の中から選択される参考画像と対応付けた文字データを入力データ候補として保持するように構成したので、ユーザ注目の体内画像に合致する被検体の症状に対応して文字データの入力を補助することができ、これによって、ユーザ注目の体内画像に関するコメントをより容易に入力することができる。
【００４２】
さらに、ユーザ注目の体内画像に対する参考画像の類似度が高い順に複数の参考画像を配列して一覧表示するように構成したので、このユーザ注目の体内画像に対応する症例の参考画像を容易に探し出すことができ、この結果、ユーザ注目の体内画像に関するコメントの入力補助機能の使い勝手を向上することができる。
【００４３】
（実施の形態２）
つぎに、本発明の実施の形態２について説明する。上述した実施の形態１では、症例別の文字データを入力していたが、この実施の形態２では、さらに、同一症例の進行レベル別の文字データを入力できるようにしている。
【００４４】
図５は、本発明の実施の形態２にかかる画像表示装置の一構成例を模式的に示すブロック図である。図５に示すように、この実施の形態２にかかる画像表示装置２１は、上述した実施の形態１にかかる画像表示装置１の制御部７に代えて制御部２７を備える。また、この実施の形態２において、記憶部６は、上述した参考画像群６ａ内の各参考画像の症例毎に同一症例の進行レベル別の各参考画像を追加した参考画像群２６ａと、上述した文字データ群６ｂ内の各文字データが示す症例毎に同一症例の進行レベルを示す各文字データを追加した文字データ群２６ｂとを記憶する。その他の構成は実施の形態１と同じであり、同一構成部分には同一符号を付している。
【００４５】
制御部２７は、実施の形態１における配列処理部７ｂに代えて配列処理部２７ｂを備え、実施の形態１における文字データ処理部７ｃに代えて文字データ処理部２７ｃを備える。なお、制御部２７は、配列処理部２７ｂの機能および文字データ処理部２７ｃの機能以外、上述した実施の形態１にかかる画像表示装置１の制御部７と同様の機能を有する。
【００４６】
配列処理部２７ｂは、上述した配列処理部７ｂと同様に、参考画像群２６ａに含まれる症例別の各参考画像の表示配列と、文字データ群２６ｂに含まれる症例別の各文字データの表示配列とを設定する。一方、配列処理部２７ｂは、参考画像群２６ａ内に症例毎に含まれる同一症例の進行レベル別の各参考画像の表示配列を症例の進行レベル順に表示可能な配列に設定する。また、配列処理部２７ｂは、文字データ群２７ｂ内に症例毎に含まれる同一症例の進行レベル別の各文字データの表示配列を、かかる進行レベル別の各参考画像の表示配列に対応して設定する。この場合、配列処理部２７ｂは、同一症例の進行レベルを示す各参考画像および各文字データが進行レベル別に並ぶように表示配列を設定する。
【００４７】
文字データ処理部２７ｃは、上述した文字データ処理部７ｃと同様に、症例を示す文字データの保持機能、入力機能、および編集機能を有する。また、文字データ処理部２７ｃは、入力部３によって入力された進行レベル別の参考画像または文字データの参考情報選択情報を取得し、この取得した参考情報選択情報に対応する症例の進行レベルを示す文字データを文字データ群２６ｂの中から抽出する。この場合、文字データ処理部２７ｃは、この参考情報選択情報によって選択される進行レベル別の文字データまたはこの参考情報選択情報によって選択される進行レベル別の参考画像と対応付けられた文字データを抽出する。文字データ処理部７ｃは、このように抽出した進行レベル別の文字データを、上述した症例別の文字データとともに入力データ候補として保持する。文字データ処理部２７ｃは、入力部３によって入力された指示情報に基づいて、この入力データ候補である症例別および進行レベル別の各文字データを入力データとして決定する。
【００４８】
ここで、この実施の形態２にかかる画像表示装置２１の記憶部６は、実施の形態１における参考画像群６ａに代えて参考画像群２６ａを記憶し、実施の形態１における文字データ群６ｂに代えて文字データ群２６ｂを記憶する。参考画像群２６ａは、上述した参考画像群６ａ内の各参考画像、すなわち症例別の各参考画像を含み、さらに、これら各参考画像の症例毎に、同一症例の進行レベル別の各参考画像を含む。一方、文字データ群２６ｂは、上述した文字データ群６ｂ内の各文字データ、すなわち症例別の各文字データを含み、さらに、これら各文字データが示す症例毎に、同一症例の進行レベルを示す各文字データを含む。
【００４９】
例えば、参考画像群２６ａ内に含まれる「潰瘍」の参考画像として、「潰瘍」を示す代表的な参考画像と、「潰瘍」の進行レベル別の各参考画像とを含む。また、文字データ群２６ｂ内に含まれる「潰瘍」に関する文字データとして、「潰瘍」を示す文字データと、「潰瘍」の進行レベル、例えば５段階の進行レベル１〜５を示す各文字データとを含む。以上のことは、潰瘍以外の症例についても同様である。
【００５０】
なお、参考画像群２６ａ内の各参考画像は、上述した実施の形態１の場合と同様に、入出力インターフェース２によって記憶媒体から取り込まれる。また、文字データ群２６ｂ内の各文字データは、上述した実施の形態１の場合と同様に、入出力インターフェース２によって記憶媒体から取り込まれ、または入力部３によって入力される。
【００５１】
つぎに、本発明の実施の形態２にかかる画像表示装置２１の動作について説明する。図６は、症例の進行レベル別の各参考画像および各文字データを一覧表示する状態を例示する模式図である。図７は、選択された症例および進行レベルを示す文字データを入力する状態を示す模式図である。なお、この実施の形態２にかかる画像表示装置２１の動作は、同一症例の進行レベル別の各参考画像および各文字データを一覧表示する際の動作と、症例の進行レベルを示す文字データを入力する際の動作とを除き、上述した実施の形態１にかかる画像表示装置１と同様である。以下では、上述した図５および図６，７を参照しつつ、同一症例の進行レベル別の各参考画像および各文字データを一覧表示する際の画像表示装置２１の動作と、症例の進行レベルを示す文字データを入力する際の画像表示装置２１の動作とを説明する。
【００５２】
画像表示装置２１は、上述した実施の形態１の場合と同様に、表示部４の体内画像表示領域１１にユーザ注目の体内画像Ｐを表示するとともに、表示部４の参考データ表示領域１２に、症例を示す各参考画像および文字データを表示する。この状態において、ユーザは、体内画像表示領域１１内の体内画像Ｐと参考データ表示領域１２内の症例別の各参考画像とを見比べ、この体内画像Ｐに類似する症例の参考画像を症例別の各参考画像の中から探し出す。この場合、ユーザは、入力部３を操作して、この探し出した参考画像を選択して、この参考画像の症例の進行レベルを示す各参考画像および各文字データを画像表示装置２１に表示させる。
【００５３】
具体的には、この体内画像Ｐに対応する被検体の症状が潰瘍である場合、入力部３は、参考データ表示領域１２内の各参考画像のうちの潰瘍の参考画像Ｒａの参考情報選択情報を制御部２７に入力する。なお、かかる参考画像Ｒａの参考情報選択情報は、例えば図６の状態Ｂ１に示すように、潰瘍の参考画像Ｒａにマウスカーソル１５を合わせた状態でのクリック操作等の入力部３の操作に対応して入力される。
【００５４】
制御部２７は、入力部３によって入力された参考画像Ｒａの参考情報選択情報に基づいて、症例の進行レベル別の各参考画像および各文字データを表示部４に一覧表示させる。この場合、配列処理部２７ｂは、この参考情報選択情報によって選択される参考画像Ｒａに対応する症例の進行レベル別の各参考画像の表示配列を、症例の進行レベルの昇順または降順に表示可能な表示配列に設定する。また、配列処理部２７ｂは、この参考画像Ｒａの症例の進行レベルを示す各参考画像および各文字データが進行レベル別に並ぶように、この症例の進行レベル別の各文字データの表示配列を設定する。制御部２７は、かかる配列処理部２７ｂによって設定された表示配列に進行レベル別の各参考画像および各文字データを配列して一覧表示するように表示部４を制御する。
【００５５】
かかる制御部２７の制御に基づいて、表示部４は、図６の状態Ｂ２に示すように、参考画像Ｒａの症例「潰瘍」の進行レベル別の各参考画像Ｒａ−１，Ｒａ−２，Ｒａ−３と、これら各参考画像Ｒａ−１，Ｒａ−２，Ｒａ−３の進行レベルを各々示す各文字データＴａ−１，Ｔａ−２，Ｔａ−３とを参考データ表示領域１２に一覧表示する。この場合、各文字データＴａ−１，Ｔａ−２，Ｔａ−３は、各参考画像Ｒａ−１，Ｒａ−２，Ｒａ−３と進行レベル別に対応付けられた態様で配列される。すなわち、進行レベル１を示す文字データＴａ−１は、進行レベル１の潰瘍の参考画像Ｒａ−１と並べて配列され、進行レベル２を示す文字データＴａ−２は、進行レベル２の潰瘍の参考画像Ｒａ−２と並べて配列され、進行レベル３を示す文字データＴａ−３は、進行レベル３の潰瘍の参考画像Ｒａ−３と並べて配列される。
【００５６】
ここで、図６においては、進行レベル１〜３の各参考画像Ｒａ−１，Ｒａ−２，Ｒａ−３および各文字データＴａ−１，Ｔａ−２，Ｔａ−３を一覧表示しているが、同一症例の進行レベルが４段階以上に設定されている場合、進行レベル４以降の各参考画像および各文字データは、参考データ表示領域１２のスクロールバー１２ａを操作することによって表示可能である。また、進行レベル別の各参考画像および各文字データの表示配列は、図６において進行レベルの昇順にしているが、進行レベルの降順であってもよい。
【００５７】
なお、図６の状態Ｂ２に示すように症例の進行レベル別の各参考画像および各文字データが参考データ表示領域１２に一覧表示された状態において、文字データ処理部２７ｃは、上述した参考画像Ｒａの症例「潰瘍」を示す文字データＴａを入力データ候補として保持し、表示部４は、参考データ表示領域１２内に文字データＴａを表示するとともに、入力データ候補としてコメント入力領域１３内に文字データＴａを表示する。
【００５８】
このように症例の進行レベル別の各参考画像および各文字データを一覧表示した画像表示装置２１において、ユーザは、体内画像表示領域１１内の体内画像Ｐと参考データ表示領域１２内の進行レベル別の各参考画像とを見比べ、この体内画像Ｐに類似する進行レベルの症例の参考画像を探し出す。この場合、ユーザは、入力部３を操作して、この探し出した参考画像を選択し、これによって、この参考画像に対応する症例の進行レベルを示す文字データを入力する。
【００５９】
具体的には、この体内画像Ｐに対応する被検体の症状が進行レベル３の潰瘍である場合、入力部３は、進行レベル３の潰瘍を示す参考画像Ｒａ−３の参考情報選択情報を制御部２７に入力する。なお、かかる参考画像Ｒａ−３の参考情報選択情報は、例えば図６の状態Ｂ２に示すように、参考画像Ｒａ−３にマウスカーソル１５を合わせた状態でのクリック操作等の入力部３の操作に対応して入力される。
【００６０】
制御部２７は、この入力された参考情報選択情報に対応する文字データＴａ−３を、入力データ候補として追加するとともに表示部４に追加表示させる。この場合、文字データ処理部２７ｃは、この入力された参考情報選択情報によって選択される参考画像Ｒａ−３と対応付けられた文字データ、すなわち参考画像Ｒａの症例「潰瘍」の進行レベル３を示す文字データＴａ−３を記憶部６内の文字データ群２６ｂの中から抽出する。文字データ処理部２７ｃは、このように抽出した文字データＴａ−３を、この体内画像Ｐに関するコメントの入力データ候補として追加保持する。制御部２７は、かかる文字データ処理部２７ｃによって抽出された文字データＴａ−３を入力データ候補として追加表示するように表示部４を制御する。
【００６１】
かかる制御部２７の制御に基づいて、表示部４は、図７の状態Ｂ３に示すように、コメント入力領域１３に「レベル３」の文字データＴａ−３を入力データ候補として追加表示する。この時点において、表示部４は、コメント入力領域１３に、「潰瘍」の文字データＴａと「レベル３」の文字データＴａ−３とを入力データ候補として表示している。
【００６２】
ここで、かかる入力データ候補としての文字データＴａ，Ｔａ―３は、上述した実施の形態１の場合と同様に編集可能である。すなわち、この文字データＴａ，Ｔａ−３に対して追加または変更する文字データが入力部３によって入力され場合、文字データ処理部２７ｃは、この入力された文字データをもとに、この入力データ候補である「潰瘍」の文字データＴａおよび「レベル３」の文字データＴａ−３を、「潰瘍あり、潰瘍の進行度合いはレベル３」または「進行レベル３の潰瘍の疑いあり」等の文字列または文章に編集する。一方、この文字データＴａ，Ｔａ−３の少なくとも一部を削除する指示情報が入力部によって入力された場合、文字データ処理部２７ｃは、この入力された指示情報に基づいて文字データＴａ，Ｔａ−３の一部または全部を削除する。制御部２７は、コメント入力領域１３内の文字データＴａ，Ｔａ−３を、かかる文字データ処理部２７ｃによって編集された文字列または文章等の編集データに更新するように表示部４を制御する。
【００６３】
なお、文字データ処理部２７ｃは、参考画像Ｒａ−３の参考情報選択情報の代わりに文字データＴａ−３の参考情報選択情報が入力された場合も、この入力された参考情報選択情報によって選択される文字データＴａ−３を記憶部６内の文字データ群２６ｂの中から抽出し、この抽出した文字データＴａ−３を、この体内画像Ｐに関するコメントの入力データ候補として追加保持する。
【００６４】
その後、文字データ処理部２７ｃは、文字データ処理部７ｃは、実施の形態１の場合と同様に入力部３によって入力された入力データ決定の指示情報に基づいて、コメント入力領域１３内の入力データ候補である文字データ、例えば図７の状態Ｂ３に示す「潰瘍」の文字データＴａおよび「レベル３」の文字データＴａ−３を入力データとして決定し、保持する。これによって、このユーザ注目の体内画像Ｐに関するコメントのデータ入力が完了する。
【００６５】
以上、説明したように、本発明の実施の形態２では、ユーザによって選択された参考画像の症例の進行レベルを示す各参考画像および各文字データを症例の進行レベル別に対応付けて一覧表示し、この一覧表示された症例の各進行レベルの中から選択された進行レベルの文字データを入力データ候補として追加するようにし、その他を実施の形態１と同様に構成した。このため、上述した実施の形態１と同様の作用効果を享受するとともに、体内画像によって示される被検体の症状の種類のみならず、その症状の進行レベルを含めた詳細なコメントを容易に入力できる画像表示装置を実現することができる。
【００６６】
また、この実施の形態２にかかる画像表示装置は、症例の進行レベルを症例別に判断する際の基準画像として、症例の進行レベル別の各参考画像を一覧表示することができ、この結果、体内画像に示される被検体の症状の進行レベルの判断基準に医師による個人差が生じることを防止できる。
【００６７】
（実施の形態３）
つぎに、本発明の実施の形態３について説明する。上述した実施の形態１では、登録された症例の参考画像群６ａおよび文字データ群６ｂを表示部４に一覧表示していたが、この実施の形態３では、被検体の体内画像の一部分を指定した場合、この指定した体内画像の一部分の画素データをもとに表示対象の参考画像および文字データを絞り込み、これによって、この体内画像の一部分に対して類似度の高い参考画像を一覧表示している。
【００６８】
図８は、本発明の実施の形態３にかかる画像表示装置の一構成例を模式的に示すブロック図である。図８に示すように、この実施の形態３にかかる画像表示装置３１は、上述した実施の形態１にかかる画像表示装置１の制御部７に代えて制御部３７を備える。その他の構成は実施の形態１と同じであり、同一構成部分には同一符号を付している。
【００６９】
制御部３７は、上述した画像抽出部７ａ、配列処理部７ｂ、文字データ処理部７ｃ、およびレポート作成部７ｄを備え、さらに、絞込み処理部３７ｅを備える。絞込み処理部３７ｅは、表示部４の参考データ表示領域１２に表示する１以上の参考画像および１以上の文字データを、この表示部４の体内画像表示領域１１に表示されている体内画像のうちの一部分と類似度の高い参考画像およびこの参考画像の症例を示す文字データに絞り込む。
【００７０】
具体的には、絞込み処理部３７ｅは、この表示中の体内画像のうちの入力部３によって指定される一部分、すなわち入力部３が入力した指定情報によって指定される範囲内の画像部分に対する参考画像群６ａ内の各参考画像の類似度を算出し、この算出した各類似度をもとに、表示対象である１以上の参考画像を参考画像群６ａの中から絞り込むとともに、この絞り込んだ１以上の参考画像の症例を示す１以上の文字データを文字データ群６ｂの中から絞り込む。この場合、絞込み処理部３７ｅは、類似度の閾値を予め有し、この閾値以上の類似度をもつ１以上の参考画像を表示対象の参考画像として絞り込む。絞込み処理部３７ｅは、体内画像の一部分を指定する指定情報が入力される都度、かかる表示対象の参考画像および文字データの絞込み処理を行う。
【００７１】
制御部３７は、かかる絞込み処理部３７ｅによって絞り込まれた１以上の参考画像および１以上の文字データを参考データ表示領域１２に表示するように表示部４を制御する。なお、制御部３７は、かかる絞込み処理部３７ｅの機能以外、上述した実施の形態１にかかる画像表示装置１の制御部７と同様の機能を有する。
【００７２】
つぎに、本発明の実施の形態３にかかる画像表示装置３１の動作について説明する。図９は、体内画像の一部分に対する類似度の高い症例の参考画像および文字データを表示する状態を示す模式図である。図１０は、この体内画像の別の一部分に対する類似度の高い症例の参考画像および文字データを表示する状態を示す模式図である。なお、この実施の形態３にかかる画像表示装置３１の動作は、体内画像の一部分に対する類似度の高い１以上の参考画像および１以上の文字データを表示する際の動作以外、上述した実施の形態１にかかる画像表示装置１と同様である。以下では、上述した図８および図９，１０を参照しつつ、体内画像の一部分に対する類似度の高い１以上の参考画像および１以上の文字データを表示する際の画像表示装置３１の動作を説明する。
【００７３】
画像表示装置３１は、上述した実施の形態１の場合と同様に、表示部４の体内画像表示領域１１にユーザ注目の体内画像Ｐを表示する。この状態において、ユーザは、この体内画像Ｐを観察して、この体内画像Ｐの中から関心領域を見つけ出す。この場合、ユーザは、入力部３を操作して、この体内画像Ｐの一部分である関心領域の画像部分を範囲指定する。
【００７４】
かかるユーザによる操作に対応して、入力部３は、図９の状態Ｃ１に示すように、体内画像表示領域１１に表示されている体内画像Ｐのうちの指定範囲１５ａ内の一部分、すなわち関心領域の画像部分Ｐａを指定する指定情報を制御部３７に入力する。ここで、この画像部分Ｐａの指定情報は、マウスカーソル１５に対応する指定範囲１５ａ内に画像部分Ｐａを位置させた状態でのクリック操作等の入力部３の操作に対応して入力される。なお、かかる指定範囲１５ａは、入力部３の操作に対応して移動するマウスカーソル１５に追従して変位する。
【００７５】
制御部３７は、入力部３によって入力された画像部分Ｐａの指定情報に基づいて、この画像部分Ｐａに対する類似度の高い症例の参考画像および文字データを１以上表示部４に表示させる。この場合、絞込み処理部３７ｅは、この入力された指定情報によって指定される画像部分Ｐａの画素データと参考画像群６ａ内の各参考画像の画素データとをもとに、この画像部分Ｐａに対する各参考画像の類似度を算出する。そして、絞込み処理部３７ｅは、この算出した各類似度と予め設定された閾値とを比較し、この閾値以上の類似度をもつ１以上の参考画像、すなわち画像部分Ｐａに対する類似度の高い１以上の参考画像を参考画像群６ａの中から絞り込む。さらに、絞込み処理部３７ｅは、この絞り込んだ１以上の参考画像の症例を示す１以上の文字データを文字データ群６ｂの中から絞り込む。制御部３７は、かかる絞込み処理部３７ｅによって絞り込まれた１以上の参考画像および１以上の文字データを参考データ表示領域１２に表示するように表示部４を制御する。
【００７６】
かかる制御部３７の制御に基づいて、表示部４は、例えば図９の状態Ｃ１に示すように、体内画像Ｐの画像部分Ｐａに対する類似度の高い各参考画像Ｒａ，Ｒｆ，Ｒｃと各参考画像Ｒａ，Ｒｆ，Ｒｃの症例を示す各文字データＴａ，Ｔｆ，Ｔｃとを参考データ表示領域１２に一覧表示する。ここで、かかる各参考画像Ｒａ，Ｒｆ，Ｒｃおよび各文字データＴａ，Ｔｆ，Ｔｃは、上述した絞込み処理部３７ｅによって絞り込まれた症例の参考画像および文字データであり、上述した配列処理部７ｂによって設定された表示配列順、すなわち画像部分Ｐａに対する類似度の高い順に配列される。この場合、腫瘍を示す文字データＴａは、潰瘍の参考画像Ｒａと並べて配列され、ポリープを示す文字データＴｆは、ポリープの参考画像Ｒｆと並べて配列され、腫瘍を示す文字データＴｃは、潰瘍の参考画像Ｒｃと並べて配列される。なお、上述した絞込み処理部３７ｅによって絞り込まれる症例の参考画像および文字データの各絞込み数は、１以上であればよく、特に３つに限定されない。
【００７７】
図９の状態Ｃ１に示したように画像部分Ｐａに対する類似度の高い１以上の参考画像および１以上の文字データを表示した画像表示装置３１において、ユーザは、この画像部分Ｐａと参考データ表示領域１２内の各参考画像とを見比べ、この画像部分Ｐａに対応する症例の参考画像を探し出す。この場合、ユーザは、入力部３を操作して、この探し出した参考画像を選択し、これによって、この参考画像の症例を示す文字データを入力する。
【００７８】
なお、かかる画像部分Ｐａに対応する症例の文字データの入力は、上述した実施の形態１の場合と同様である。例えば、入力部３は、「潰瘍」を示す文字データＴａを入力する場合、潰瘍の参考画像Ｒａまたは文字データＴａの参考情報選択情報を制御部３７に入力する。制御部３７は、この入力された参考情報選択情報に対応する文字データＴａを入力データ候補として追加するとともに、図９の状態Ｃ２に示すように文字データＴａをコメント入力領域１３に表示するように表示部４を制御する。かかる入力データ候補である文字データＴａは、実施の形態１の場合と同様に、入力部３の操作に対応して編集または削除可能であり、また、決定アイコン１４に対応する指示情報に基づいて入力データとして決定される。
【００７９】
ここで、図９の状態Ｃ２に示したようにコメント入力領域１３に画像部分Ｐａに関する文字データＴａが表示された後、ユーザは、入力部３を操作して、体内画像Ｐのうちの画像部分Ｐａとは別の関心領域の画像部分に関する文字データを追加入力することができる。
【００８０】
具体的には、入力部３は、図１０の状態Ｃ３に示すように、体内画像表示領域１１に表示されている体内画像Ｐのうちの指定範囲１５ａ内の一部分、すなわち上述した画像部分Ｐａとは別の関心領域の画像部分Ｐｂを指定する指定情報を制御部３７に入力する。なお、この画像部分Ｐｂの指定情報は、マウスカーソル１５に対応する指定範囲１５ａ内に画像部分Ｐｂを位置させた状態でのクリック操作等の入力部３の操作に対応して入力される。
【００８１】
制御部３７は、入力部３によって入力された画像部分Ｐｂの指定情報に基づいて、この画像部分Ｐｂに対する類似度の高い症例の参考画像および文字データを１以上表示部４に表示させる。この場合、絞込み処理部３７ｅは、この入力された指定情報によって指定される画像部分Ｐｂの画素データと参考画像群６ａ内の各参考画像の画素データとをもとに、この画像部分Ｐｂに対する各参考画像の類似度を算出する。そして、絞込み処理部３７ｅは、この算出した各類似度と予め設定された閾値とを比較し、この閾値以上の類似度をもつ１以上の参考画像、すなわち画像部分Ｐｂに対する類似度の高い１以上の参考画像を参考画像群６ａの中から絞り込む。さらに、絞込み処理部３７ｅは、この絞り込んだ１以上の参考画像の症例を示す１以上の文字データを文字データ群６ｂの中から絞り込む。制御部３７は、かかる絞込み処理部３７ｅによって絞り込まれた１以上の参考画像および１以上の文字データを参考データ表示領域１２に表示するように表示部４を制御する。
【００８２】
かかる制御部３７の制御に基づいて、表示部４は、例えば図１０の状態Ｃ３に示すように、体内画像Ｐの画像部分Ｐｂに対する類似度の高い各参考画像Ｒｄ，Ｒｂと各参考画像Ｒｄ，Ｒｂの症例を示す各文字データＴｄ，Ｔｂとを参考データ表示領域１２に一覧表示する。ここで、かかる各参考画像Ｒｄ，Ｒｂおよび各文字データＴｄ，Ｔｂは、上述した絞込み処理部３７ｅによって絞り込まれた症例の参考画像および文字データであり、上述した配列処理部７ｂによって設定された表示配列順、すなわち画像部分Ｐｂに対する類似度の高い順に配列される。この場合、狭窄を示す文字データＴｄは、狭窄の参考画像Ｒｄと並べて配列され、出血を示す文字データＴｂは、出血の参考画像Ｒｂと並べて配列される。
【００８３】
図１０の状態Ｃ３に示したように画像部分Ｐｂに対する類似度の高い１以上の参考画像および１以上の文字データを表示した画像表示装置３１において、ユーザは、この画像部分Ｐｂと参考データ表示領域１２内の各参考画像とを見比べ、この画像部分Ｐｂに対応する症例の参考画像を探し出す。この場合、ユーザは、入力部３を操作して、この探し出した参考画像を選択し、これによって、この参考画像の症例を示す文字データを入力データ候補として追加入力する。
【００８４】
例えば、入力部３は、「出血」を示す文字データＴｂを追加入力する場合、出血の参考画像Ｒｂまたは文字データＴｂの参考情報選択情報を制御部３７に入力する。制御部３７は、この入力された参考情報選択情報に対応する文字データＴｂを入力データ候補として追加するとともに、図１０の状態Ｃ４に示すように文字データＴｂをコメント入力領域１３に追加表示するように表示部４を制御する。この結果、この追加した文字データＴｂおよび既存の文字データＴａが入力データ候補として保持される。かかる入力データ候補である文字データＴａ，Ｔｂは、実施の形態１の場合と同様に、入力部３の操作に対応して編集または削除可能であり、また、決定アイコン１４に対応する指示情報に基づいて入力データとして決定される。
【００８５】
なお、上述した画像部分Ｐａ，Ｐｂに例示されるような体内画像Ｐの一部分が指定される以前において、症例の参考画像群６ａおよび文字データ群６ｂは、実施の形態１の場合と同様に参考データ表示領域１２に一覧表示されてもよいし、一覧表示されていなくてもよい。すなわち、制御部３７は、体内画像Ｐとともに参考画像群６ａおよび文字データ群６ｂを表示部４に表示させ、その後、この体内画像Ｐの一部分に対する類似度の高い１以上の参考画像および１以上の文字データを、この表示中の参考画像群６ａおよび文字データ群６ｂの中から絞り込んで表示部４に表示させてもよい。あるいは、制御部３７は、この体内画像Ｐの一部分が指定される以前において参考画像群６ａおよび文字データ群６ｂを表示部４に表示させず、体内画像Ｐの一部分が指定された場合、参考画像群６ａおよび文字データ群６ｂのうち、この体内画像Ｐの一部分に対する類似度の高い１以上の参考画像および１以上の文字データを表示部４に表示させてもよい。
【００８６】
つぎに、上述した体内画像Ｐの一部分を指定する指定範囲１５ａについて説明する。図１１は、ユーザ注目の体内画像の一部分を指定する指定範囲の一具体例を示す模式図である。図１１に示すように、指定範囲１５ａは、マウスカーソル１５によって示される画面上の位置Ｑを中心とする矩形状の画像範囲であり、指定範囲１５ａのサイズは、ｙピクセル×ｘピクセルである。なお、ｘ、ｙは、１以上の整数である。
【００８７】
かかる指定範囲１５ａは、上述した図９，１０に示したように体内画像Ｐ上に重畳表示され、入力部３の操作に対応して移動するマウスカーソル１５に追従して変位する。この指定範囲１５ａ内に含まれる画素群のデータは、上述した関心領域の画像部分Ｐａ，Ｐｂに例示されるような体内画像Ｐの一部分を構成する画素群のデータであり、体内画像Ｐに対する各参考画像の類似度の算出処理に用いられる。
【００８８】
なお、かかる指定範囲１５ａは、マウスカーソル１５によって示される位置Ｑを中心とするものに限らず、矩形状の辺上に位置Ｑを含むものであってもよいし、矩形状の角上に位置Ｑを含むものであってもよい。また、かかる指定範囲１５ａの形状は、矩形状のものに限らず、円形状または楕円形状等の所望の形状であってもよい。
【００８９】
一方、かかる指定範囲１５ａのサイズは、予め設定したサイズであってもよいし、入力部３の入力情報に基づいて設定されたユーザ指定のサイズであってもよい。または、かかる指定範囲１５ａのサイズは、マウス等の入力部３のドラッグ操作の移動量および移動方向に対応して可変に設定されるサイズであってもよい。
【００９０】
また、かかる指定範囲１５ａは、マウスカーソル１５の移動に追従して変位するものに限らず、マウス等の入力部３のドラッグ操作およびドロップ操作に対応して、体内画像Ｐ内の画像部分に形成されるものであってもよい。
【００９１】
以上、説明したように、本発明の実施の形態３では、体内画像の一部分を指定可能にし、登録された症例の参考画像群および文字データ群の中から、この指定された体内画像の一部分に対する類似度の高い１以上の参考画像とこの１以上の参考画像の症例を示す１以上の文字データとを絞り込み、この絞り込んだ１以上の参考画像および１以上の文字データを症例別に対応付けて表示するようにし、その他を実施の形態１と同様に構成した。このため、上述した実施の形態１と同様の作用効果を享受するとともに、症例の参考画像群および文字データ群の中から、体内画像の一部分に対する類似度の低い参考画像および文字データを表示対象から除外することができ、これによって、より短時間に体内画像と参考画像とを見比べることができるとともに、体内画像に含まれる画像部分毎に症例等のコメントを入力でき、この結果、たとえ１つの体内画像の内部に複数個所の関心領域が存在する場合であっても、体内画像内に含まれる関心領域毎に容易にコメントを入力できる画像表示装置を実現することができる。
【００９２】
（実施の形態４）
つぎに、本発明の実施の形態４について説明する。上述した実施の形態３では、指定した被検体の体内画像の一部分の画素データをもとに表示対象の参考画像および文字データを絞り込んでいたが、この実施の形態４では、被検体の体内画像の画素データとこの体内画像の症例を指定する指定情報とをもとに、表示対象の参考画像および文字データを絞り込んでいる。
【００９３】
図１２は、本発明の実施の形態４にかかる画像表示装置の一構成例を模式的に示すブロック図である。図１２に示すように、この実施の形態４にかかる画像表示装置４１は、上述した実施の形態３にかかる画像表示装置３１の制御部３７に代えて制御部４７を備える。制御部４７は、上述した実施の形態３にかかる画像表示装置３１の絞込み処理部３７ｅに代えて絞込み処理部４７ｅを備える。その他の構成は実施の形態３と同じであり、同一構成部分には同一符号を付している。
【００９４】
制御部４７は、上述したように絞込み処理部４７ｅを備える。絞込み処理部４７ｅは、表示部４の体内画像表示領域１１に表示されている体内画像の画素データとこの体内画像の症例を指定する指定情報とをもとに、この表示部４の参考データ表示領域１２に表示する１以上の参考画像および１以上の文字データを絞り込む。
【００９５】
具体的には、絞込み処理部４７ｅは、記憶部６内の文字データ群６ｂをもとに、この文字データ群６ｂ内の各文字データをリスト化した症例リストを含む症例メニューを作成する。この場合、絞込み処理部４７ｅは、表示中の体内画像の画素データと参考画像群６ａ内の各参考画像の画素データとをもとに、この体内画像に対する各参考画像の類似度を算出し、この算出した類似度がより高い参考画像と対応付けられた症例の文字データを症例リストの上位に配列する。一方、絞込み処理部４７ｅは、かかる症例メニュー内の症例リストの中から選択された症例の指定情報を入力部３によって入力され、この入力された症例の指定情報と表示中の体内画像の画素データとをもとに、表示対象である１以上の参考画像を参考画像群６ａの中から絞り込むとともに、この絞り込んだ１以上の参考画像の症例を示す１以上の文字データを文字データ群６ｂの中から絞り込む。絞込み処理部４７ｅは、かかる症例の指定情報が入力される都度、かかる表示対象の参考画像および文字データの絞込み処理を行う。
【００９６】
制御部４７は、かかる絞込み処理部４７ｅによって絞り込まれた１以上の参考画像および１以上の文字データを参考データ表示領域１２に表示するように表示部４を制御する。なお、制御部４７は、かかる絞込み処理部４７ｅの機能以外、上述した実施の形態３にかかる画像表示装置３１の制御部３７と同様の機能を有する。
【００９７】
つぎに、本発明の実施の形態４にかかる画像表示装置４１の動作について説明する。図１３は、体内画像に対する類似度の高い症例の参考画像および文字データを表示する状態を示す模式図である。なお、この実施の形態４にかかる画像表示装置４１の動作は、体内画像に対する類似度の高い１以上の参考画像および１以上の文字データを表示する際の動作以外、上述した実施の形態３にかかる画像表示装置３１と同様である。以下では、上述した図１２および図１３を参照しつつ、体内画像に対する類似度の高い１以上の参考画像および１以上の文字データを表示する際の画像表示装置４１の動作を説明する。
【００９８】
画像表示装置４１は、上述した実施の形態３の場合と同様に、表示部４の体内画像表示領域１１にユーザ注目の体内画像Ｐを表示する。この状態において、ユーザは、この体内画像Ｐを観察して、この体内画像Ｐの関心領域を見つけ出す。この場合、ユーザは、入力部３を操作して、この体内画像Ｐの関心領域における症例を選択する。
【００９９】
具体的には、入力部３は、体内画像Ｐにマウスカーソル１５を合わせた状態でのクリック操作等に対応して、症例のメニューの表示を指示する指示情報を制御部４７に入力する。制御部４７は、この入力された指示情報に基づいて、例えば図１３に示すような症例メニュー１７を表示するように表示部４を制御する。
【０１００】
ここで、症例メニュー１７は、上述したように絞込み処理部４７ｅによって作成された症例リストを含む。絞込み処理部４７ｅは、この症例リスト１７内の症例リストを作成する場合、体内画像Ｐの画素データに対する参考画像群６ａ内の各参考画像の類似度を算出し、この算出した類似度がより高い参考画像と対応付けられた症例の文字データを症例リストの上位に配列する。すなわち、かかる症例メニュー１７内の症例リストにおいて、各症例の文字データは、この体内画像Ｐに対する類似度の高い順に表示できるように配列されている。
【０１０１】
なお、図１３においては症例メニュー１７に含まれる症例リストの一部が表示されているが、かかる症例リスト内の全症例の文字データは、この症例メニュー１７のスクロールバーを操作することによって表示可能である。
【０１０２】
一方、入力部３は、かかる症例メニュー１７内の症例リストの中からユーザによって選択された症例、すなわち体内画像Ｐの関心領域における症例の指定情報を制御部４７に入力する。なお、この症例の指定情報は、症例メニュー１７の中から選択される所望の症例、例えば図１３においては「潰瘍」の症例項目にマウスカーソル１５を合わせた状態でのクリック操作等の入力部３の操作に対応して入力される。
【０１０３】
制御部４７は、入力部３によって入力された症例の指定情報に基づいて、この体内画像Ｐに対する類似度の高い症例の参考画像および文字データを１以上表示部４に表示させる。この場合、絞込み処理部４７ｅは、この入力された症例の指定情報と体内画像Ｐの画素データとをもとに、この体内画像Ｐに対する類似度が高く且つこの指定情報によって指定される症例に類似した１以上の参考画像を参考画像群６ａの中から絞り込む。さらに、絞込み処理部４７ｅは、この絞り込んだ１以上の参考画像の症例を示す１以上の文字データを文字データ群６ｂの中から絞り込む。制御部４７は、かかる絞込み処理部４７ｅによって絞り込まれた１以上の参考画像および１以上の文字データを参考データ表示領域１２に表示するように表示部４を制御する。
【０１０４】
かかる制御部４７の制御に基づいて、表示部４は、例えば図１３に示すように、体内画像Ｐに対する類似度が高く且つ指定の症例「潰瘍」に類似した参考画像Ｒａと参考画像Ｒａの症例を示す文字データＴａとを参考データ表示領域１２に一覧表示する。ここで、かかる参考画像Ｒａおよび文字データＴａは、上述した絞込み処理部４７ｅによって絞り込まれた症例の参考画像および文字データであり、腫瘍を示す文字データＴａは、潰瘍の参考画像Ｒａと並べて配列される。
【０１０５】
なお、上述した絞込み処理部４７ｅによって絞り込まれる症例の参考画像および文字データの各絞込み数は、１以上であればよく、特に１つに限定されない。また、症例メニュー１７から選択される症例の数は、複数であってもよい。この場合、絞込み処理部４７ｅは、複数の症例の指定情報と体内画像Ｐの画素データとをもとに、この体内画像Ｐに対する類似度が高く且つこれら複数の指定情報によって各々指定される各症例に類似した複数の参考画像を参考画像群６ａの中から絞り込み、この絞り込んだ複数の参考画像の症例を示す複数の文字データを文字データ群６ｂの中から絞り込む。
【０１０６】
一方、かかる体内画像Ｐに関するコメントの入力方法は、上述した実施の形態１の場合と同様であってもよいし、症例メニュー１７内の症例リストの中から選択された１以上の症例の文字データをコメントとして入力するものであってもよい。症例メニュー１７を用いてコメント入力を行う場合、制御部４７は、症例メニュー１７の中から選択された１以上の症例の指定情報を入力部３によって入力され、文字データ群６ｂのうち、この入力された１以上の指定情報によって指定される１以上の症例の文字データを入力データ候補として保持するとともに、この入力データ候補をコメント入力領域１３に表示するように表示部４を制御する。かかる入力データ候補である文字データは、実施の形態１の場合と同様に、入力部３の操作に対応して編集または削除可能であり、また、決定アイコン１４に対応する指示情報に基づいて入力データとして決定される。
【０１０７】
なお、上述した症例メニュー１７が表示される以前において、症例の参考画像群６ａおよび文字データ群６ｂは、実施の形態１の場合と同様に参考データ表示領域１２に一覧表示されてもよいし、一覧表示されていなくてもよい。すなわち、制御部４７は、体内画像Ｐとともに参考画像群６ａおよび文字データ群６ｂを表示部４に表示させ、その後、症例メニュー１７の中から選択された症例の指定情報と体内画像Ｐの画素データとをもとに、この体内画像Ｐに対する類似度の高く且つ指定の症例に類似した１以上の参考画像および１以上の文字データを、この表示中の参考画像群６ａおよび文字データ群６ｂの中から絞り込んで表示部４に表示させてもよい。あるいは、制御部４７は、症例メニュー１７が表示される以前において参考画像群６ａおよび文字データ群６ｂを表示部４に表示させず、症例メニュー１７の中から１以上の症例が指定された場合、参考画像群６ａおよび文字データ群６ｂのうち、この体内画像Ｐに対する類似度の高く且つ指定の症例に類似した１以上の参考画像および１以上の文字データを表示部４に表示させてもよい。
【０１０８】
以上、説明したように、本発明の実施の形態４では、症例の文字データ群をリスト化した症例リストを含む症例メニューを表示し、登録された症例の参考画像群および文字データ群の中から、この症例メニュー内の症例リストの中から選択された症例の指定情報と表示中の体内画像の画素データとをもとに、この体内画像に対する類似度が高く且つ指定の症例に類似する１以上の参考画像とこの１以上の参考画像の症例を示す１以上の文字データとを絞り込み、この絞り込んだ１以上の参考画像および１以上の文字データを症例別に対応付けて表示するようにし、その他を実施の形態３と同様に構成した。このため、上述した実施の形態３と同様の作用効果を享受するとともに、体内画像に対する比較対象となる参考画像の表示数を必要最小限に絞り込むことができ、これによって、体内画像に対応する症例の参考画像を短時間に探し出すことができるとともに、この体内画像に関する症例等のコメントを容易に入力できる画像表示装置を実現することができる。
【０１０９】
また、ユーザ注目の体内画像に対する類似度より高い参考画像と対応付けられた症例の文字データを症例リストの上位に配列するので、この体内画像に類似する症例を症例リストの中から容易に探し出すことができ、この結果、ユーザ注目の体内画像に関するコメントの入力補助機能の使い勝手を向上することができる。
【０１１０】
（実施の形態５）
つぎに、本発明の実施の形態５について説明する。上述した実施の形態１では、症例を示す参考画像群６ａおよび文字データ群６ｂを表示部４に一覧表示していたが、この実施の形態５では、入力部３によって入力された症例の文字データを検索キーワードにして、参考画像群６ａおよび文字データ群６ｂ中から検索キーワードに合致する症例の参考画像および文字データを検索し、この検索した参考画像および文字データを表示部４に表示できるようにしている。
【０１１１】
図１４は、本発明の実施の形態５にかかる画像表示装置の一構成例を模式的に示すブロック図である。図１４に示すように、この実施の形態５にかかる画像表示装置５１は、上述した実施の形態１にかかる画像表示装置１の制御部７に代えて制御部５７を備える。制御部５７は、検索キーワードをもとに症例の参考画像および文字データを検索する検索処理部５７ｅをさらに備える。その他の構成は実施の形態１と同じであり、同一構成部分には同一符号を付している。
【０１１２】
制御部５７は、上述したように検索処理部５７ｅを備える。検索処理部５７ｅは、入力部３によって入力された検索キーワードをもとに、表示部４の参考データ表示領域１２に表示する１以上の参考画像および１以上の文字データを検索する。具体的には、検索処理部５７ｅは、入力部３によって入力された症例の文字データを検索キーワードとして取得し、この取得した検索キーワードと合致する症例の参考画像を記憶部６内の参考画像群６ａの中から検索するとともに、この症例を示す文字データを記憶部６内の文字データ群６ｂの中から検索する。制御部５７は、かかる検索処理部５７ｅによって検索された症例の参考画像および文字データを参考データ表示領域１２に表示するように表示部４を制御する。なお、制御部５７は、かかる検索処理部５７ｅの機能以外、上述した実施の形態１にかかる画像表示装置１の制御部７と同様の機能を有する。
【０１１３】
つぎに、本発明の実施の形態５にかかる画像表示装置５１の動作について説明する。図１５は、入力された検索キーワードをもとに検索された症例の参考画像および文字データを表示する状態を示す模式図である。なお、この実施の形態５にかかる画像表示装置５１の動作は、入力された検索キーワードをもとに検索された症例の参考画像および文字データを表示する際の動作以外、上述した実施の形態１にかかる画像表示装置１と同様である。以下では、上述した図１４および図１５を参照しつつ、入力された検索キーワードをもとに検索された症例の参考画像および文字データを表示する際の画像表示装置５１の動作を説明する。
【０１１４】
画像表示装置５１は、上述した実施の形態１の場合と同様に、表示部４の体内画像表示領域１１にユーザ注目の体内画像Ｐを表示する。この状態において、ユーザは、この体内画像Ｐを観察して、この体内画像Ｐの関心領域を見つけ出す。この場合、ユーザは、入力部３を操作して、この体内画像Ｐの関心領域に関するコメントを入力する。
【０１１５】
具体的には、図１５に示すように、入力部３は、コメント入力領域１３にマウスカーソル１５を合わせた状態でのクリック操作等に対応して、コメント入力領域１３をデータ入力可能なアクティブ状態にするよう指示する指示情報を制御部５７に入力する。制御部５７は、この入力された指示情報に基づいて、このコメント入力領域１３をアクティブ状態に変更し、その後、入力部３によって入力された文字データをコメントの入力データ候補として保持するとともに、この入力データ候補としての文字データをコメント入力領域１３に表示する表示部４を制御する。
【０１１６】
ここで、入力部３が症例として「潰瘍」を示す文字データを入力した場合、制御部５７は、体内画像Ｐに関するコメントの入力データ候補として、この入力された「潰瘍」の文字データをコメント入力領域１３に表示するように表示部４を制御するとともに、この入力された文字データと合致する症例、すなわち潰瘍の参考画像Ｒａおよび文字データＴａを参考データ表示領域１２に表示するように表示部４を制御する。この場合、上述した文字データ処理部７ｃは、この入力された「潰瘍」の文字データをコメントの入力データ候補として保持する。一方、検索処理部５７ｅは、この入力された「潰瘍」の文字データを検索キーワードとして取得し、この取得した検索キーワードと合致する症例、すなわち潰瘍の参考画像Ｒａを記憶部６内の参考画像群６ａの中から検索するとともに、潰瘍を示す文字データＴａを記憶部６内の文字データ群６ｂの中から検索する。
【０１１７】
なお、入力部３によって入力される検索キーワードに含まれる症例の数は、１つに限らず、複数であってもよい。すなわち、入力部３が複数の症例を含む文字データを入力した場合、検索処理部５７ｅは、この入力された文字データを検索キーワードとして取得し、この取得した検索キーワードに含まれる複数の症例の各々と合致する複数の参考画像および複数の文字データを記憶部６内の参考画像群６ａおよび文字データ群６ｂの中から検索してもよい。この場合、制御部５７は、体内画像Ｐに関するコメントの入力データ候補として、これら複数の症例を示す文字データをコメント入力領域１３に表示するように表示部４を制御するとともに、検索処理部５７ｅによって検索された複数の参考画像および複数の文字データを参考データ表示領域１２に表示するように表示部４を制御する。
【０１１８】
以上、説明したように、本発明の実施の形態５では、１以上の症例を含む文字データを入力部によって入力し、この入力した文字データをユーザ注目の体内画像に関するコメントの入力データ候補として表示するとともに、この入力した文字データを検索キーワードにして、登録済みの参考画像群および文字データ群の中から、この検索キーワード内に含まれる１以上の症例に対応する１以上の参考画像および１以上の文字データを検索し、この検索した１以上の参考画像および１以上の文字データを症例別に対応付けて表示するようにし、その他を実施の形態１と同様に構成した。このため、上述した実施の形態１と同様の作用効果を享受するとともに、１以上の症例を含む検索キーワードを体内画像に関するコメントの入力データ候補として表示することができ、この結果、症例の参考画像および文字データを検索するための検索キーワードを体内画像に関するコメントに反映してコメント入力を容易に行うことが可能な画像表示装置を実現することができる。
【０１１９】
なお、上述した実施の形態１〜５では、図２等に示すように体内画像表示領域１１と参考データ表示領域１２とコメント入力領域１３とを表示部４の画面の横一列に並べて配列していたが、これに限らず、体内画像表示領域１１、参考データ表示領域１２、およびコメント入力領域１３は、表示部４の画面において所望の位置に配列されていればよい。図１６は、表示部の画面レイアウトの一変形例を示す模式図である。本発明にかかる画像表示装置の表示部においては、例えば図１６に示すように、ユーザ注目の体内画像Ｐを表示する体内画像表示領域１１に対して横の位置に、コメント入力領域１３および参考データ表示領域１２を上下に並べて配列してもよいし、これら体内画像表示領域１１、参考データ表示領域１２、およびコメント入力領域１３の各位置を入れ替えた配列であってもよい。また、参考データ表示領域１２は、体内画像表示領域１１の隣に配列されていなくてもよいが、図２，１６等に示すように、体内画像表示領域１１の隣に配列されていることが望ましい。何故ならば、体内画像表示領域１１に表示された体内画像Ｐと参考データ表示領域１２に表示された各症例の参考画像とを見比べ易くなるからである。
【０１２０】
また、上述した実施の形態１〜５では、症例の参考画像は表示部４の画面の縦一列に配列されていたが、これに限らず、症例の参考画像は、表示部４の画面の横一列に配列されてもよいし、例えば図１６に示すようにマトリックス状に配列されてもよい。
【０１２１】
さらに、上述した実施の形態１〜５では、症例の参考画像列は体内画像に対する類似度の高い順に配列して表示されていたが、これに限らず、症例の参考画像の表示配列は五十音順であってもよいし、ユーザ注目の体内画像の撮像位置、すなわちこの体内画像に描画される臓器の位置において発症頻度の高い症例順に配列して表示されてもよい。なお、発症頻度の高い症例順に配列する場合、本発明にかかる画像表示装置は、被検体の体内画像群とともに、各体内画像の撮像位置を示す位置データ群を取得し、ユーザによって選択されたユーザ注目の体内画像に対応する位置データをもとに各症例の発症頻度を決定し、この決定した発症頻度の高い症例順に参考画像および文字データを配列して表示すればよい。
【０１２２】
また、上述した実施の形態４では、症例メニュー１７に含まれる症例リストにおいて、ユーザ注目の体内画像に対する類似度がより高い参考画像に対応付けられた症例の文字データを症例リストの上位に配列していたが、これに限らず、症例リストの配列順は、五十音順であってもよいし、ユーザ注目の体内画像の撮像位置である臓器の位置において発症頻度の高い症例順であってもよい。
【０１２３】
さらに、上述した実施の形態１〜５では、入力部３によって症例の参考画像または文字データの指定情報を入力する、またはコメント入力領域１３に直接文字データを入力する等の方法によって、ユーザ注目の体内画像に関するコメントを入力していたが、これに限らず、被検体の臓器、症例、および症例の進行レベル等の所望の項目を含む階層構造の選択入力欄を形成し、この階層構造内の各項目を選択入力することによって体内画像に関するコメントを入力してもよい。図１７は、コメント入力形式の一変形例を示す模式図である。図１７に示すように、コメント入力領域１３に、被検体の臓器、症例、および症例の進行レベルを選択項目として含む階層構造の選択入力欄を表示し、各選択項目について選択入力された各文字データをもとに、コメントの入力データを形成してもよい。
【０１２４】
なお、図１７においては、各選択項目において「小腸」、「潰瘍」、および「レベル２」が選択入力されており、この結果、例えば「小腸に進行レベル２の潰瘍あり」等のコメントを入力することができる。この場合、参考データ表示領域１２には、進行レベル２の潰瘍を示す参考画像Ｒａ−２が表示される。
【０１２５】
また、上述した実施の形態１〜５では、症例別の代表的な参考画像を参考データ表示領域１２に表示していたが、これに限らず、この代表的な参考画像に対して時系列的に連続する前後１フレーム以上の参考画像を追加表示してもよい。図１８は、症例の代表的な参考画像の前後に隣接する参考画像を追加表示する状態を例示する模式図である。本発明にかかる画像表示装置は、カプセル型内視鏡または挿入型の内視鏡等の体内撮像装置によって時系列順に撮像された複数の連続画像を症例別の参考画像として取得し、保存する。かかる画像表示装置は、表示部４の参考データ表示領域１２に症例の代表的な参考画像を表示した状態において、この代表的な参考画像が選択された場合、この代表的な参考画像の前後に隣接する１フレーム以上の参考画像を追加表示してもよい。例えば図１８に示すように、潰瘍を示す代表的な参考画像Ｒａが選択された場合、この参考画像Ｒａに対して時系列的に前後に隣接する参考画像Ｒ−１，Ｒ＋１が追加表示される。この場合、かかる参考画像Ｒａ，Ｒ−１，Ｒ＋１は、図１８に示すように、参考画像Ｒａを指し示す吹き出し状の追加表示領域１８に表示されてもよいし、参考データ表示領域１２に表示されてもよい。
【０１２６】
さらに、上述した実施の形態１〜５では、症例別の代表的な参考画像を参考データ表示領域１２に静止画表示していたが、これに限らず、この代表的な参考画像と、この代表的な参考画像に対して時系列的に連続する前後１フレーム以上の参考画像とを連続的に表示すなわち動画表示してもよい。この場合、本発明にかかる画像表示装置は、表示部４の参考データ表示領域１２に症例の代表的な参考画像を表示した状態において、この代表的な参考画像が選択されれば、この代表的な参考画像およびその前後１フレーム以上の参考画像を動画表示すればよい。
【０１２７】
また、上述した実施の形態１〜５では、入出力インターフェース２に挿着された記憶媒体から症例の参考画像および文字データを取り込んでいたが、これに限らず、入出力インターフェース２は、外部のコンピュータ等との間でデータ通信が可能な通信インターフェースであってもよく、例えばネットワーク接続されたデータベース等から症例の参考画像および文字データを取得してもよい。この場合、他の医師等が用いた症例画像を症例の参考画像として画像表示装置に登録することもできる。
【図面の簡単な説明】
【０１２８】
【図１】本発明の実施の形態１にかかる画像表示装置の一構成例を模式的に示すブロック図である。
【図２】選択された体内画像を表示するとともに症例を示す参考画像および文字データを一覧表示した状態を例示する模式図である。
【図３】選択された体内画像に関するコメントを入力する状態を例示する模式図である。
【図４】被検体に関連するレポートデータの一具体例を示す模式図である。
【図５】本発明の実施の形態２にかかる画像表示装置の一構成例を模式的に示すブロック図である。
【図６】症例の進行レベル別の各参考画像および各文字データを一覧表示する状態を例示する模式図である。
【図７】選択された症例および進行レベルを示す文字データを入力する状態を示す模式図である。
【図８】本発明の実施の形態３にかかる画像表示装置の一構成例を模式的に示すブロック図である。
【図９】体内画像の一部分に対する類似度の高い症例の参考画像および文字データを表示する状態を示す模式図である。
【図１０】体内画像の別の一部分に対する類似度の高い症例の参考画像および文字データを表示する状態を示す模式図である。
【図１１】ユーザ注目の体内画像の一部分を指定する指定範囲の一具体例を示す模式図である。
【図１２】本発明の実施の形態４にかかる画像表示装置の一構成例を模式的に示すブロック図である。
【図１３】体内画像に対する類似度の高い症例の参考画像および文字データを表示する状態を示す模式図である。
【図１４】本発明の実施の形態５にかかる画像表示装置の一構成例を模式的に示すブロック図である。
【図１５】入力された検索キーワードをもとに検索された症例の参考画像および文字データを表示する状態を示す模式図である。
【図１６】表示部の画面レイアウトの一変形例を示す模式図である。
【図１７】コメント入力形式の一変形例を示す模式図である。
【図１８】症例の代表的な参考画像の前後に隣接する参考画像を追加表示する状態を例示する模式図である。
【符号の説明】
【０１２９】
１，２１，３１，４１，５１  画像表示装置
２  入出力インターフェース
３  入力部
４  表示部
５  出力部
６  記憶部
６ａ，２６ａ  参考画像群
６ｂ，２６ｂ  文字データ群
６ｃ  体内画像群
７，２７，３７，４７，５７  制御部
７ａ  画像抽出部
７ｂ，２７ｂ  配列処理部
７ｃ，２７ｃ  文字データ処理部
７ｄ  レポート作成部
１０  ウィンドウ
１１  体内画像表示領域
１２  参考データ表示領域
１２ａ  スクロールバー
１３  コメント入力領域
１４  決定アイコン
１５  マウスカーソル
１５ａ  指定範囲
１６  レポートデータ
１６ａ  検査者データ
１６ｂ  被検体データ
１６ｃ  コメント欄
１６ｄ  備考欄
１７  症例メニュー
１８  追加表示領域
３７ｅ，４７ｅ  絞込み処理部
５７ｅ  検索処理部
Ｐ  体内画像
Ｑ  位置
Ｐａ，Ｐｂ  画像部分
Ｒａ，Ｒｂ，Ｒｃ，Ｒｄ，Ｒｆ，Ｒａ−１，Ｒａ−２，Ｒａ−３  参考画像
Ｔａ，Ｔｂ，Ｔｃ，Ｔｄ，Ｔｆ，Ｔａ−１，Ｔａ−２，Ｔａ−３  文字データ
【図１】
2010167045.tif 000003
【図２】
2010167045.tif 000004
【図３】
2010167045.tif 000005
【図４】
2010167045.tif 000006
【図５】
2010167045.tif 000007
【図６】
2010167045.tif 000008
【図７】
2010167045.tif 000009
【図８】
2010167045.tif 000010
【図９】
2010167045.tif 000011
【図１０】
2010167045.tif 000012
【図１１】
2010167045.tif 000013
【図１２】
2010167045.tif 000014
【図１３】
2010167045.tif 000015
【図１４】
2010167045.tif 000016
【図１５】
2010167045.tif 000017
【図１６】
2010167045.tif 000018
【図１７】
2010167045.tif 000019
【図１８】
2010167045.tif 000020